(57)【要約】【課題】タイル表面に一方向に向かって偏向して形成された凸条部が設けられたタイルや模様などによって所定の向きに整列させることが必要なタイルを正確かつ容易に整列させることができるタイル整列構造を提供する。【解決手段】本考案のタイル整列構造１は、複数のタイル２を嵌入するための複数の凹部３を有したタイル整列台４と、凹部３に嵌入する複数のタイル２とを備え、タイル整列台４の凹部３内にタイル２を所定の向きに載置すると嵌入可能に構成され、タイル整列台４の凹部３にタイル２を逆向きに載置するとタイル２が浮上して嵌入不能に構成されている。このため、浮上したタイルの向きを変更することで、所定の向きにタイルを正確かつ容易に整列させることができる。【選択図】図１
0003148310.tif 000002
【実用新案登録請求の範囲】
【請求項１】
複数のタイルを嵌入するための複数の凹部を有したタイル整列台と、前記凹部に嵌入する複数のタイルとを備え、前記タイル整列台の前記凹部内に前記タイルを所定の向きに載置すると嵌入可能に構成され、前記タイル整列台の前記凹部に前記タイルを逆向きに載置すると前記タイルが浮上して嵌入不能に構成されていることを特徴とするタイル整列構造。
【請求項２】
前記タイル整列台の前記凹部は嵌入阻止用凸部を有し、前記タイルは裏面に前記嵌入阻止用凸部と係合する係合用凸部を有し、前記タイル整列台の前記凹部内に前記タイルを逆向きに載置すると、前記タイルの前記係合用凸部と前記タイル整列台の前記凹部の前記嵌入阻止用凸部とが当接し、前記タイルが浮上して嵌入不能に構成されている請求項１に記載のタイル整列構造。
【請求項３】
前記嵌入阻止用凸部は、前記タイル整列台の前記凹部内において一端側に形成された凸条部である請求項２に記載のタイル整列構造。
【請求項４】
前記係合用凸部は、前記タイルの裏面の裏足間に設けられた凹条部内に形成されている請求項２または３に記載のタイル整列構造。
【考案の詳細な説明】
【技術分野】
【０００１】
本考案は、所定の向きを有する複数のタイルを縦横に整列させてタイルユニットを作製する際に使用して好適なタイル整列構造に関するものである。
【背景技術】
【０００２】
従来より、壁面への貼設作業の効率化および目地幅の均一化等を目的として、複数のタイルを縦横に連結したタイルユニットが形成されている。
このようなタイルユニットを構成するには、まず、図７に示した縦横に複数の凹部を有したタイル整列台７０の凹部７１内にタイルを載置して整列させていた。
また、タイル整列台の凹部内の中央に確実にタイルを配置するために、図８に示すようなタイル整列台８０の凹部８１内に凸部８２を設け、他方、図９に示すように、タイル９０の裏面９１に凹部９２を設け、凸部８２と凹部９２とを係合させることで、正確な位置にタイル９０を配置するタイル整列構造（特開２００１−１９１３１７号公報）が提案されている。
【０００３】
ところで、タイルユニットを構成するタイルには、図４または図５に示したタイル２のように、タイル２の表面２ａに一方向に向かって偏向して形成された偏向傾斜部５が設けられたタイルや模様などによって所定の向きに整列することが必要なタイルがある。そのようなタイルの中には、整列作業者がタイル表面を目視しても差異が微妙で判別を誤るようなタイルもあり、前述した従来のタイル整列構造では、そのようなタイルを所定の向きに正確に整列させることができなかった。
【特許文献１】特開２００１−１９１３１７号公報
【考案の開示】
【考案が解決しようとする課題】
【０００４】
そこで、本考案の課題は、タイル表面に一方向に向かって偏向して形成された凸条部が設けられたタイルや模様などによって所定の向きに整列させることが必要なタイルを正確かつ容易に整列させることができるタイル整列構造を提供することにある。
【課題を解決するための手段】
【０００５】
上記課題を解決するものは、複数のタイルを嵌入するための複数の凹部を有したタイル整列台と、前記凹部に嵌入する複数のタイルとを備え、前記タイル整列台の前記凹部内に前記タイルを所定の向きに載置すると嵌入可能に構成され、前記タイル整列台の前記凹部に前記タイルを逆向きに載置すると前記タイルが浮上して嵌入不能に構成されていることを特徴とするタイル整列構造である。
【０００６】
前記タイル整列台の前記凹部は嵌入阻止用凸部を有し、前記タイルは裏面に前記嵌入阻止用凸部と係合する係合用凸部を有し、前記タイル整列台の前記凹部内に前記タイルを逆向きに載置すると、前記タイルの前記係合用凸部と前記タイル整列台の前記凹部の前記嵌入阻止用凸部とが当接し、前記タイルが浮上して嵌入不能に構成されていることが好ましい。前記嵌入阻止用凸部は、前記タイル整列台の前記凹部内において一端側に形成された凸条部であることが好ましい。前記係合用凸部は、前記タイルの裏面の裏足間に設けられた凹条部内に形成されていることが好ましい。
【考案の効果】
【０００７】
請求項１に記載の考案によれば、タイル表面に一方向に向かって偏向して形成された凸条部が設けられたタイルや模様などによって所定の向きに整列させることが必要なタイルを正確かつ容易に整列させることができる。
請求項２に記載の考案によれば、上記請求項１の効果を奏するタイル整列構造を簡素な構造で構成できる。
請求項３に記載の考案によれば、上記請求項１の効果を奏するタイル整列構造を従来のタイル整列台の形態を一部変更（凹部内に凸部を追加）するのみで構成できる。
請求項４に記載の考案によれば、上記請求項１の効果を奏するタイル整列構造を従来のタイルの形態を一部変更（裏面に凸部を追加）するのみで構成できる。
【考案を実施するための最良の形態】
【０００８】
本考案のタイル整列構造は、複数のタイルを嵌入するための複数の凹部を有したタイル整列台と、凹部に嵌入する複数のタイルとを備え、タイル整列台の凹部内にタイルを所定の向きに載置すると嵌入可能に構成され、タイル整列台の凹部にタイルを逆向きに載置するとタイルが浮上して嵌入不能に構成されているため、浮上したタイルの向きを変更することで、タイルを所定の向きに正確かつ容易に整列させることを可能にした。
【実施例１】
【０００９】
図１は本考案のタイル整列構造の一実施例の一部縦断図であり、図２は図１に示したタイル整列構造のタイル整列台の平面図であり、図３は図２のＡ−Ａ線端面図であり、  図４は図１に示したタイル整列構造のタイルの平面図であり、図５は図４のＢ−Ｂ線拡大断面図であり、図６は図４に示したタイルの裏面図である。
【００１０】
この実施例のタイル整列構造１は、図１に示すように、複数のタイル２を嵌入するための複数の凹部３を有したタイル整列台４と、凹部３に嵌入する複数のタイル２とを備え、タイル整列台４の凹部３内にタイル２を所定の向きに載置すると嵌入可能に構成され、タイル整列台４の凹部３にタイル２を逆向きに載置するとタイル２が浮上して嵌入不能に構成されている。より具体的には、タイル整列台４の凹部３は嵌入阻止用凸部７を有し、タイル２は裏面２ａに嵌入阻止用凸部７と係合する係合用凸部８を有し、タイル整列台４の凹部３内にタイル２を逆向きに載置すると、タイル２の係合用凸部８とタイル整列台４の凹部３の嵌入阻止用凸部７とが当接し、タイル２が浮上して嵌入不能に構成されている。以下、各構成について順次詳述する。
【００１１】
この実施例のタイル整列構造１は、所定の向きで配列することが必要なタイルを正確かつ容易に配列してタイルユニットを作製するためのものであり、タイル２とタイル整列台４との組み合わせとからなる。なお、本願で「タイルを所定の向きに載置する」とは、タイル表面に一方向に向かって偏向して形成された凸条部が設けられていたり模様などによって整列に際してはタイルの上下が特定されることがあり、その特定された上下を保持してタイルを載置することを言う。
【００１２】
タイル整列台４はタイルを縦横に整列させるためのものであり、図２または図３に示すように、複数のタイル２を嵌入するための複数の凹部３を有している。この実施例の凹部３は枠部６により縦３列横６列計１８ブロックに区画されて形成されており、これら複数の凹部３にそれぞれタイル２を載置して整列させるように構成されている。
【００１３】
タイル整列台４の凹部３内には、それぞれ嵌入阻止用凸部７が設けられている。この嵌入阻止用凸部７は、タイルが所定の向き以外（逆向き）に載置されると、嵌め入れを阻止するための部位であり、この実施例では、嵌入阻止用凸部７は、図２に示すように、凹部３の一端側（図２中凹部３の下部側）に凹部３の長手方向に沿って延在して設けられた凸条部に形成されている。
【００１４】
タイル２は、タイル整列台４の凹部３内に配してタイルユニットを形成するものであり、この実施例のタイル２は、図４または図５に示すように、表面２ａに長手方向を横断して形成された偏向傾斜部５を複数備えている。
【００１５】
そして、このタイル２にてタイルユニットを形成するに際しては、これら偏向傾斜部５を所定の向きに統一的に配する必要があるため、作業者は偏向傾斜部５の向きに注意してタイル整列台４の凹部３内に配するが、目視では確実に判別しづらい微妙な形態である。そこで、タイル２の裏面２ｂには、前述した嵌入阻止用凸部７と係合する係合用凸部８が設けられている。
【００１６】
具体的には、この係合用凸部８は、図５または図６に示すように、タイル２の裏面２ｂの裏足（この実施例では、長手方向に横断して延在して設けられた４本の凸条部）９間に設けられた凹条部１０内に形成されている。より具体的には、この実施例の凹条部１０は長手方向に横断して延在して設けられた３本の凹条部１０を有しているが、一端側（図６中上段）の凹条部１０内の中央部に一体的に設けられている。また、この実施例の係合用凸部８は、裏足９の高さと同一高さに構成されている。
【００１７】
そして、タイル２は、図１中左側のタイル２のように、タイル整列台４の凹部３内に所定の向き（正しい向き）に載置すると、タイル整列台４の嵌入阻止用凸部７は、タイル整列台４の凹部３内に嵌め入れることができる。
【００１８】
他方、タイル２は、図１中右側のタイル２のように、タイル整列台２の凹部３内において逆向き（誤った向き）に載置すると、タイル２の係合用凸部８とタイル整列台４の凹部３内に設けられた嵌入阻止用凸部７が当接し、タイル２の一端側が浮上して嵌入不能となる。嵌入不能となったタイル２は向きを変えて配すればよく、本考案では、所定の向きを有するタイルを正確かつ容易にタイル配列台に配することができる。
【００１９】
なお、この実施例のタイル整列構造１は、タイル整列台４の凹部３内に嵌入阻止用凸部７を一体的に設け、他方、タイル２の裏面２ｂに嵌入阻止用凸部７と係合する係合用凸部８を設けて、タイル整列台の凹部内にタイルを所定の向きに載置すると嵌入可能に構成され、タイル整列台の凹部にタイルを逆向きに載置するとタイルが浮上して嵌入不能となる構造を採用しているが、これに限定されるものではなく、例えば、タイル整列台の凹部内にさらに深い凹部を設け、タイルの裏面にその凹部と係合する係合用凸部を設けたもの、或いは、タイル整列台の凹部内に凸部を設け、タイルの裏面にその凸部と係合する係合用凹部を設けて、タイル整列台の凹部内にタイルを所定の向きに載置すると嵌入可能に構成され、タイル整列台の凹部にタイルを逆向きに載置するとタイルが浮上して嵌入不能となる構造を構成したものも本考案の範疇に包含される。また、この実施例のタイル２は、平面視矩形の５０角二丁のタイルであるが、平面視正方形のタイルやサイズの異なるタイルなどにも本考案は適用可能である。
【図面の簡単な説明】
【００２０】
【図１】本考案のタイル整列構造の一実施例の一部縦断図である。
【図２】図１に示したタイル整列構造のタイル整列台の平面図である。
【図３】図２のＡ−Ａ線端面図である。
【図４】図１に示したタイル整列構造のタイルの平面図である。
【図５】図４のＢ−Ｂ線拡大断面図である。
【図６】図４に示したタイルの裏面図である。
【図７】従来のタイル整列で使用されるタイル整列台の平面図である。
【図８】従来のタイル整列で使用される他のタイル整列台の一部斜視図である。
【図９】図８のタイル整列台で整列されるタイルの裏面側斜視図である。
【符号の説明】
【００２１】
１    タイル整列構造
２    タイル
２ａ  表面
２ｂ  裏面
３    凹部
４    タイル整列台
５    偏向傾斜部
６    枠部
７    嵌入阻止用凸部
８    係合用凸部
９    裏足
１０  凹条部
【図１】
0003148310.tif 000003
【図２】
0003148310.tif 000004
【図３】
0003148310.tif 000005
【図４】
0003148310.tif 000006
【図５】
0003148310.tif 000007
【図６】
0003148310.tif 000008
【図７】
0003148310.tif 000009
【図８】
0003148310.tif 000010
【図９】
0003148310.tif 000011